(57)【要約】【課題】移動刃への糊の付着を最小限に抑えると共に、メンテナンスが容易なサークルカッターを開発する。【解決手段】移動刃の固定刃側の隣に前記回転軸に付着した糊を掻き取るへら部材を設ける。へら部材を設けて回転軸周囲の糊を掻き取ることで、回転軸周囲に糊が溜まることがなく、移動刃に付着している糊は常に最小限となる。掻き取った糊はへら部材の基端から押し出されるので、メンテナンスも容易である。【選択図】      図３
2004338012.tif 000002
【特許請求の範囲】
【請求項１】
刃先が直線状の固定刃と、固定刃の刃先に沿って回転移動する円盤状の移動刃と、移動刃の上部を覆い移動刃の回転軸が軸着される移動刃ホルダーを有し、固定刃と移動刃が協働してシートを切断するサークルカッターにおいて、前記移動刃の前記固定刃側の隣に前記回転軸に付着した糊を掻き取るへら部材を設けたことを特徴とするサークルカッター
【請求項２】
請求項１のサークルカッターにおいて、前記回転軸の前記へら部材を設けた部分が、調整リングをはめ込んで径を太くした構成となっていることを特徴とするサークルカッター
【請求項３】
請求項１又は２のサークルカッターにおいて、前記へら部材が、前記移動刃と移動刃に回転力を付与する転動車輪の間に設けられていることを特徴とするサークルカッター
【請求項４】
請求項１〜３のいずれかのサークルカッターにおいて、前記へら部材の先端が二股状となって、前記回転軸が正転、逆転のどちらに回転した場合でも該へら部材で糊を掻き取ることを特徴とするサークルカッター
【請求項５】
請求項１〜４のいずれかのサークルカッターにおいて、前記へら部材の基端が前記移動刃ホルダーの外部に露出しており、前記へら部材で掻き取った糊がへら部材に沿って前記移動刃ホルダーの外部に押し出されることを特徴とするサークルカッター
【発明の詳細な説明】
【０００１】
【発明の属する技術分野】
本発明は、主にプリンターなどの事務機器に搭載されるサークルカッター、すなわち、刃先が直線状の固定刃と、固定刃の刃先に沿って回転移動する円盤状の移動刃でシートを切断するカッターに関する。
【０００２】
【従来の技術】
サークルカッターは、刃先が直線状の固定刃と、固定刃の刃先に摺接しながら移動する円盤状の移動刃と、移動刃の上部を覆い移動刃の回転軸が軸着される移動刃ホルダーを有し、固定刃と移動刃が協働して固定刃に沿って供給されるシートを切断するもので、特開平６−１９８５９０、特開平７ー１２４８９２などに示されるように周知のものである。
【０００３】
また、サークルカッターが装着されるプリンターなどの機器は、ラベル紙などの糊の付いたシート類を使用する場合がある。サークルカッターで糊の付いたシート類を切断すると、特に移動刃に糊が付着し、切れ味が悪くなってシートの切断部が汚くなったり、移動刃が歯噛みして停止してしまう不具合が発生することがある。特開２００３−１９６９３には、このような不具合を防ぐために、シリコン油などの糊剥離剤を含浸したスポンジ類を移動刃ホルダー内又は固定刃の背面に設け、移動刃に糊が付着するのを防止する技術が開示されている。
【０００４】
【発明が解決しようとする課題】
前記の、シリコン油などの糊剥離剤を含浸したスポンジ類を移動刃ホルダー内又は固定刃の背面に設ける従来技術は、移動刃に糊が付着するのを防止し、又付着した糊はスポンジ類で擦り取られるので、糊の付着による不具合が解消されるのであるが、使用するにつれてスポンジ類が糊で汚れるので、これを定期的に交換しなければならず、メンテナンスが煩雑であった。
【０００５】
本発明は、移動刃への糊の付着を最小限に抑えると共に、メンテナンスが容易なサークルカッターを開発することを課題としてなされたものである。
【０００６】
【課題を解決するための手段】
本発明は、刃先が直線状の固定刃と、固定刃の刃先に沿って回転移動する円盤状の移動刃と、移動刃の上部を覆い移動刃の回転軸が軸着される移動刃ホルダーを有し、固定刃と移動刃が協働してシートを切断するサークルカッターにおいて、前記移動刃の前記固定刃側の隣に前記回転軸に付着した糊を掻き取るへら部材を設けたことを特徴とするサークルカッターである。
【０００７】
サークルカッターで糊の付いたシートを切断すると、移動刃の固定刃側の面に糊が付着する。切断を繰り返すうちに糊の付着量は次第に増え、移動刃の回転軸の周囲に溜まっていく。本発明においては、移動刃の固定刃側の隣に、回転軸に付着した糊を掻き取るへら部材を設けたので、回転軸周囲に糊が溜まることがなく、移動刃に付着している糊は常に最小限となる。
【０００８】
回転軸の前記へら部材を設けた部分は、調整リングをはめ込んで径を適宜の太さに太くすることが望ましい。径を太くすることで、へら部材の設置が容易となり、糊を掻き取りやすくなる。径の太さは、へら部材との関係で適宜に設計すればよい。
【０００９】
移動刃が、固定刃の上を転動する転動車輪によって回転力を付与されるものである場合、へら部材は移動刃と転動車輪の間に設けられる。
【００１０】
へら部材の先端の糊を掻き取る部分を二股状にすると、回転軸が正転、逆転のどちらに回転した場合でもへら部材で糊を掻き取ることができる。
【００１１】
へら部材の基端を移動刃ホルダーの外部に露出させると、へら部材で掻き取った糊がへら部材に沿って先端側から基端側に移動し、移動刃ホルダーの外部に押し出される。このホルダー外部に押し出された糊を定期的に取り除けば良いので、メンテナンスがきわめて簡単である。
【００１２】
【発明の実施の形態】
以下、実施例を表した図面に基づいて本発明を詳細に説明する。図１は実施例のサークルカッター１の略側面図、図２はサークルカッター１のＡＡ断面説明図、図３はサークルカッター１のＢＢ断面説明図、図４はへら部材１０の平面、正面、側面、背面図である。
【００１３】
図に示すサークルカッター１は、刃先が直線状の固定刃２、固定刃２の刃先に摺接しながら回転、移動する円盤状の移動刃３、移動刃３の上部を覆い移動刃３の回転軸９が軸着される移動刃ホルダー４を有する。概略コ字形のフレーム５の上面が固定刃２となっており、フレーム７の下面の先端にはレール６が立設されている。フレーム５（固定刃２及びレール６を含む）は金属で一体的に形成されている。レール６を跨いで移動台７が設けられ、移動台７には張出部８が外方に張り出し形成され、張出部８には移動刃ホルダー４が連続して設けられている。移動台７、張出部８、移動刃ホルダー４はプラスチックで一体的に形成されている。移動刃ホルダー４は、図２に示すように、移動刃３の上部を覆うように形成され、移動刃３の回転軸９が回転自在に軸着されている。
【００１４】
図示しない駆動機構によって移動台７がレール６に沿って移動することによって、移動刃３が固定刃２の刃先に摺接しながら図１の矢印Ｃ方向に移動し、固定刃２と移動する移動刃３が協働して固定刃上のシートｓを切断する。シートｓは図２の矢印Ｄ方向に供給される。移動台７がレール６に沿って移動すると、回転軸９に取り付けた転動車輪１１が固定刃２の上を転がり、回転軸９及び移動刃３が回転し、切断が滑らかに行われる。転動車輪１１は摩擦を高めるために外周にＯリングがはめ込まれている。このようなサークルカッターの構成は周知である。
【００１５】
移動刃３と転動車輪１１の間の回転軸９の周囲にはプラスチック製の調整リング１２がはめ込まれて、回転軸の径を太く調整している。移動刃３の固定刃２側の隣に近接して（移動刃３と転動車輪１１の間に）、調整リング１２に付着した糊を掻き取るへら部材１０が設けられている。
【００１６】
図４はへら部材１０に関し、上段が平面図、下段の左側から順に正面図、側面図、背面図を示している。へら部材１０は基板１３の正面側の左右端部に側板１５が形成されて、断面がほぼコの字形の樋状となっており、下端の正面側に糊を掻き取るへら部１４が形成され、背面には突起１７が形成され、これらはプラスチックで一体に成形されている。へら部１４は先端（下端）が二股状に分かれており、全体が三つ又形状となっている。側板１５下端とへら部１４の間が、掻き取った糊がへら部材１０内に進入する導入口１６となっている。へら部材１０は、図２に示すように、突起１７を移動刃ホルダー４に形成した穴に嵌合することで、移動刃ホルダーに取り付けられる。へら部材１０の基端（上端）は、移動刃ホルダーに形成された穴１８から外部に突出している。
【００１７】
図３に示すように、切断時に移動台７が左方向に走行すると転動車輪１１の作用で回転軸９（調整リング１２を含む）は同図の左回りに回転し（正転）、矢印Ｅに示すように、二股状になっているへら部１４の右側の部分によって調整リング１２の周囲の糊が掻き取られ、右側の導入口１６から糊がへら部材内に進入する。復帰時に移動台７が右方向に走行すると転動車輪１１の作用で回転軸９（調整リング１２を含む）は同図の右回りに回転し（逆転）、矢印Ｆに示すように、二股状になっているへら部１４の左側の部分によって調整リング１２の周囲の糊が掻き取られ、左側の導入口１６から糊がへら部材１０内に進入する。へら部材１０内に進入した糊は次第にへら部材に沿って押し上げられ、ついには基端（上端）から移動刃ホルダーの外部に押し出される。
【００１８】
前記のへら部材の形状は一例であって、これに限られるものではなく、要は、回転軸の回りの糊を掻き取り、糊がへら部材に沿って押し上げられる形状であればよい。また、へら部材や移動刃ホルダーは必ずしもワンピースで形成される必要はなく、複数のピースを組み立てる構成であっても良い。また、へら部材は必ずしも垂直に取り付ける必要はなく、取り付け角度は自由で、例えば水平に取り付けても良い。
【００１９】
【発明の効果】
本発明のサークルカッターは、へら部材の作用によって移動刃に過度に付着した糊を取り除くことができるので、移動刃に付着している糊は常に最小限となり、切れ味が悪くなって切断部が汚くなったり、移動刃が歯噛みして停止してしまう不具合を防止できる。また、へら部材で取り除いた糊は容易に除去できるのでメンテナンスがきわめて簡単である。
【図面の簡単な説明】
【図１】実施例のサークルカッター１の略側面図である。
【図２】サークルカッター１のＡＡ断面説明図である。
【図３】サークルカッター１のＢＢ断面説明図である。
【図４】へら部材１０の説明図である。
【符号の説明】
１  サークルカッター
２  固定刃
３  移動刃
４  移動刃ホルダー
５  フレーム
６  レール
７  移動台
８  張出部
９  回転軸
１０  へら部材
１１  転動車輪
１２  調整リング
１３  基板
１４  へら部
１５  側板
１６  導入口
１７  突起
１８  穴
ｓ  シート
【図１】
2004338012.tif 000003
【図２】
2004338012.tif 000004
【図３】
2004338012.tif 000005
【図４】
2004338012.tif 000006